(57)【要約】【課題】高圧力領域を有するパンツ型使い捨ておむつが着用者の適切な位置に装着されるようにすること。【解決手段】ベルト部（２１，２２）と吸収性本体（１０）を有するパンツ型使い捨ておむつであって、ベルト部（２１，２２）は胴回り開口の縁に沿った伸縮領域（４０）の下方において低圧力領域（５０）及び高圧力領域（６０）を有し、低圧力領域（５０）及び高圧力領域（６０）は隣接し、かつ左右方向に伸縮性を有し、上下方向における単位幅の高圧力領域（６０）を左右方向に単位長さ伸長させるための力は、単位幅の低圧力領域（５０）を左右方向に単位長さ伸長させるための力よりも大きく、ベルト部（２１，２２）を非肌側と肌側の少なくとも一方側から見た場合に、高圧力領域（６０）の少なくとも一部は低圧力領域（５０）と異なる色であること。【選択図】図２
2020116041.tif 000002
【特許請求の範囲】
【請求項１】
互いに交差する上下方向と左右方向と前後方向を有し、
ベルト部と、吸収性本体と、を有するパンツ型使い捨ておむつであって、
前記ベルト部は、胴回り開口の縁に沿った伸縮領域の下方において、低圧力領域、及び、高圧力領域を有し、
前記低圧力領域、及び、前記高圧力領域は、隣接し、かつ、前記左右方向に伸縮性を有し、
前記上下方向における単位幅の前記高圧力領域を、前記左右方向に単位長さ伸長させるための力は、前記単位幅の前記低圧力領域を、前記左右方向に前記単位長さ伸長させるための力よりも大きく、
前記ベルト部を非肌側と肌側の少なくとも一方側から見た場合に、前記高圧力領域の少なくとも一部は、前記低圧力領域と異なる色であることを特徴とするパンツ型使い捨ておむつ。
【請求項２】
請求項１に記載のパンツ型使い捨ておむつであって、
前記ベルト部を前記非肌側と前記肌側の少なくとも一方側から見た場合に、前記上下方向における前記高圧力領域の輪郭部は、前記低圧力領域と異なる色であることを特徴とするパンツ型使い捨ておむつ。
【請求項３】
請求項１又は２に記載のパンツ型使い捨ておむつであって、
前記ベルト部を前記非肌側と前記肌側の少なくとも一方側から見た場合に、
前記高圧力領域と前記低圧力領域において、Ｌ*ａ*ｂ*表色系のａ*値の差をΔａ*、ｂ*値の差をΔｂ*として、下式で色差ΔＥ*を算出すると、
ΔＥ*＝[（Δａ*）2＋（Δｂ*）2]1/2
前記色差ΔＥ*が１．４５以上であることを特徴とするパンツ型使い捨ておむつ。
【請求項４】
請求項３に記載のパンツ型使い捨ておむつであって、
前記ベルト部を前記非肌側から見た場合に、
前記色差ΔＥ*が１．４５以上であることを特徴とするパンツ型使い捨ておむつ。
【請求項５】
請求項１から４の何れか１項に記載のパンツ型使い捨ておむつであって、
前記高圧力領域は、前記左右方向に伸縮する伸縮性部材を有し、
前記伸縮性部材は、前記低圧力領域と異なる色に着色されていることを特徴とするパンツ型使い捨ておむつ。
【請求項６】
請求項５に記載のパンツ型使い捨ておむつであって、
前記高圧力領域では、前記ベルト部の厚さ方向に複数の資材が積層されており、
前記伸縮性部材は、前記非肌側寄りに配置されていることを特徴とするパンツ型使い捨ておむつ。
【請求項７】
請求項５又は６に記載のパンツ型使い捨ておむつであって、
前記伸縮性部材は、シート状の伸縮性部材であることを特徴とするパンツ型使い捨ておむつ。
【請求項８】
請求項５から７の何れか１項に記載のパンツ型使い捨ておむつであって、
前記高圧力領域において、前記伸縮性部材は、前記上下方向に間隔をあけて複数配置されていることを特徴とするパンツ型使い捨ておむつ。
【請求項９】
請求項５から８の何れか１項に記載のパンツ型使い捨ておむつであって、
前記伸縮性部材は、前記伸縮性部材よりも前記非肌側に配置されているシートと、複数の接合部によって間欠的に接合されており、
前記上下方向における前記伸縮性部材の長さよりも、前記上下方向に隣り合う前記接合部の間隔の方が小さく、かつ、前記左右方向における前記伸縮性部材の長さよりも、前記左右方向に隣り合う前記接合部の間隔の方が小さいことを特徴とするパンツ型使い捨ておむつ。
【請求項１０】
請求項１から９の何れか１項に記載のパンツ型使い捨ておむつであって、
前記高圧力領域は、前記低圧力領域と異なる色である異色部と、前記異色部以外の非異色部とを有し、
前記左右方向における前記ベルト部の中央部では端部に比べて、単位面積あたりの前記異色部の割合が高いことを特徴とするパンツ型使い捨ておむつ。
【請求項１１】
請求項１から１０の何れか１項に記載のパンツ型使い捨ておむつであって、
前記ベルト部は、前側ベルト部と、後側ベルト部とを有し、
前記前側ベルト部の前記左右方向の中央部に位置する前記高圧力領域の上端から前記胴周り開口までの前記上下方向の長さは、前記後側ベルト部の前記左右方向の中央部に位置する前記高圧力領域の上端から前記胴周り開口までの前記上下方向の長さと異なることを特徴とするパンツ型使い捨ておむつ。
【請求項１２】
請求項１から１１の何れか１項に記載のパンツ型使い捨ておむつであって、
前記ベルト部は、前側ベルト部と、後側ベルト部とを有し、
前記前側ベルト部の前記左右方向の両側部と、前記後側ベルト部の前記左右方向の両側部とが、一対の係止部において係止されており、
前記高圧力領域は、前記前側ベルト部において、第１高圧力領域を有し、
前記第１高圧力領域は、前記一対の係止部間に亘って前記左右方向に連続して配置されており、
前記第１高圧力領域の前記左右方向の中央部は両端部に比べて、下側に位置していることを特徴とするパンツ型使い捨ておむつ。
【請求項１３】
請求項１２に記載のパンツ型使い捨ておむつであって、
前記高圧力領域は、前記前側ベルト部において、第２高圧力領域を有し、
前記第２高圧力領域は、前記一対の係止部間に亘って前記左右方向に連続して配置されており、
前記第２高圧力領域の前記左右方向の両端部は、前記第１高圧力領域よりも下側に位置し、
前記第２高圧力領域の前記左右方向の中央部の少なくとも一部は、前記第１高圧力領域と重なることを特徴とするパンツ型使い捨ておむつ。
【請求項１４】
請求項１から１３の何れか１項に記載のパンツ型使い捨ておむつであって、
前記ベルト部は、前側ベルト部と、後側ベルト部とを有し、
前記前側ベルト部の前記左右方向の両側部と、前記後側ベルト部の前記左右方向の両側部とが、一対の係止部において係止されており、
前記高圧力領域は、前記後側ベルト部において、第３高圧力領域を有し、
前記第３高圧力領域は、前記一対の係止部間に亘って前記左右方向に連続して配置されており、
前記第３高圧力領域の前記左右方向の中央部は両端部に比べて、上側に位置していることを特徴とするパンツ型使い捨ておむつ。
【請求項１５】
請求項１４に記載のパンツ型使い捨ておむつであって、
前記高圧力領域は、前記後側ベルト部において、第４高圧力領域を有し、
前記第４高圧力領域は、前記一対の係止部間に亘って前記左右方向に連続して配置されており、
前記第４高圧力領域の前記左右方向の両端部は、前記第３高圧力領域よりも上側に位置し、
前記第４高圧力領域の前記左右方向の中央部の少なくとも一部は、前記第３高圧力領域と重なることを特徴とするパンツ型使い捨ておむつ。
【発明の詳細な説明】
【技術分野】
【０００１】
本発明は、パンツ型使い捨ておむつに関する。
【背景技術】
【０００２】
特許文献１には、吸収性本体と、吸収性本体を固定している外包材とを備えたパンツ型使い捨ておむつが開示されている。特許文献１のおむつの外包材は、２枚のシートが積層された構造であり、その２枚のシートとは別の伸縮性シートが配された高装着圧領域を有している。この高装着圧領域を、着用者の腸骨稜から上前腸骨稜にかけての部位に当接させることで、おむつ着用中のずれ落ちを効果的に防止できる。
【先行技術文献】
【特許文献】
【０００３】
【特許文献１】特許第５０２０３６２号
【発明の概要】
【発明が解決しようとする課題】
【０００４】
しかし、おむつの着用者や介助者が高装着圧領域（高圧力領域）の位置を把握できない場合、着用者の適切な位置に高装着圧領域が位置するように、おむつの引き上げ具合を調整することが難しい。そうすると、高装着圧領域による効果が得られない恐れがある。逆に、締め付けるべきでない場所（例えば下腹部や臀部の膨らみ部分等）に高装着圧領域が位置して、おむつの着け心地が低下してしまう恐れがある。
【０００５】
本発明は、上記のような問題に鑑みてなされたものであって、高圧力領域を有するパンツ型使い捨ておむつが着用者の適切な位置に装着されるようにすることを目的とする。
【課題を解決するための手段】
【０００６】
上記目的を達成するための主たる発明は、互いに交差する上下方向と左右方向と前後方向を有し、ベルト部と、吸収性本体と、を有するパンツ型使い捨ておむつであって、前記ベルト部は、胴回り開口の縁に沿った伸縮領域の下方において、低圧力領域、及び、高圧力領域を有し、前記低圧力領域、及び、前記高圧力領域は、隣接し、かつ、前記左右方向に伸縮性を有し、前記上下方向における単位幅の前記高圧力領域を、前記左右方向に単位長さ伸長させるための力は、前記単位幅の前記低圧力領域を、前記左右方向に前記単位長さ伸長させるための力よりも大きく、前記ベルト部を非肌側と肌側の少なくとも一方側から見た場合に、前記高圧力領域の少なくとも一部は、前記低圧力領域と異なる色であることを特徴とするパンツ型使い捨ておむつとする。
本発明の他の特徴については、本明細書及び添付図面の記載により明らかにする。
【発明の効果】
【０００７】
本発明によれば、高圧力領域を有するパンツ型使い捨ておむつが着用者の適切な位置に装着されるようにすることができる。
【図面の簡単な説明】
【０００８】
【図１】パンツ型使い捨ておむつ１の概略斜視図である。
【図２】展開かつ伸長状態のおむつ１の概略平面図である。
【図３】図２のＩ−Ｉ線での概略断面図である。
【図４】図４Ａは前側ベルト部２１及び後側ベルト部２２の接合部３０の一例を示す図であり、図４Ｂは前側ベルト部２１及び後側ベルト部２２の概略断面図である。
【図５】前側ベルト部２１の概略平面図である。
【図６】後側ベルト部２２の概略平面図である。
【図７】高圧力領域６０の視認性についての試験結果を示す表である。
【図８】伸縮性フィルム６５に形成された接合部３０の説明図である。
【発明を実施するための形態】
【０００９】
本明細書及び添付図面の記載により、少なくとも以下の事項が明らかとなる。
互いに交差する上下方向と左右方向と前後方向を有し、ベルト部と、吸収性本体と、を有するパンツ型使い捨ておむつであって、前記ベルト部は、胴回り開口の縁に沿った伸縮領域の下方において、低圧力領域、及び、高圧力領域を有し、前記低圧力領域、及び、前記高圧力領域は、隣接し、かつ、前記左右方向に伸縮性を有し、前記上下方向における単位幅の前記高圧力領域を、前記左右方向に単位長さ伸長させるための力は、前記単位幅の前記低圧力領域を、前記左右方向に前記単位長さ伸長させるための力よりも大きく、前記ベルト部を非肌側と肌側の少なくとも一方側から見た場合に、前記高圧力領域の少なくとも一部は、前記低圧力領域と異なる色であることを特徴とするパンツ型使い捨ておむつである。
【００１０】
このようなパンツ型使い捨ておむつによれば、ユーザーは高圧力領域の位置を把握でき、着用者の締め付けるべき場所に高圧力領域を位置合わせすることができる。よって、おむつが着用者の適切な位置に装着されるので、高圧力領域による効果が得られる。また、着用者の締め付けるべきでない場所に高圧力領域が位置して、おむつの着け心地が低下してしまうことを抑制できる。
【００１１】
かかるパンツ型使い捨ておむつであって、前記ベルト部を前記非肌側と前記肌側の少なくとも一方側から見た場合に、前記上下方向における前記高圧力領域の輪郭部は、前記低圧力領域と異なる色であることを特徴とするパンツ型使い捨ておむつである。
【００１２】
このようなパンツ型使い捨ておむつによれば、高圧力領域と低圧力領域の境界が明確となり、ユーザーは高圧力領域の位置をより把握しやすくなる。
【００１３】
かかるパンツ型使い捨ておむつであって、前記ベルト部を前記非肌側と前記肌側の少なくとも一方側から見た場合に、前記高圧力領域と前記低圧力領域において、Ｌ*ａ*ｂ*表色系のａ*値の差をΔａ*、ｂ*値の差をΔｂ*として、下式で色差ΔＥ*を算出すると、ΔＥ*＝[（Δａ*）2＋（Δｂ*）2]1/2前記色差ΔＥ*が１．４５以上であることを特徴とするパンツ型使い捨ておむつである。
【００１４】
このようなパンツ型使い捨ておむつによれば、ユーザーは高圧力領域と低圧力領域を判別できる。
【００１５】
かかるパンツ型使い捨ておむつであって、前記ベルト部を前記非肌側から見た場合に、
前記色差ΔＥ*が１．４５以上であることを特徴とするパンツ型使い捨ておむつである。
【００１６】
このようなパンツ型使い捨ておむつによれば、非肌側（外側）から高圧力領域が視認可能となるため、高圧力領域がユーザーに認識されやすく、また、着用者の締め付けるべき場所に高圧力領域を位置合わせしやすくなる。
【００１７】
かかるパンツ型使い捨ておむつであって、前記高圧力領域は、前記左右方向に伸縮する伸縮性部材を有し、前記伸縮性部材は、前記低圧力領域と異なる色に着色されていることを特徴とするパンツ型使い捨ておむつである。
【００１８】
このようなパンツ型使い捨ておむつによれば、ユーザーが認識する高圧力領域と、締め付け圧力が強い領域とが一致するため、高圧力領域による効果が得られやすくなる。
【００１９】
かかるパンツ型使い捨ておむつであって、前記高圧力領域では、前記ベルト部の厚さ方向に複数の資材が積層されており、前記伸縮性部材は、前記非肌側寄りに配置されていることを特徴とするパンツ型使い捨ておむつである。
【００２０】
このようなパンツ型使い捨ておむつによれば、非肌側（外側）から高圧力領域が視認されやすくなるため、高圧力領域がユーザーに認識されやすく、また、着用者の締め付けるべき場所に高圧力領域を位置合わせしやすくなる。
【００２１】
かかるパンツ型使い捨ておむつであって、前記伸縮性部材は、シート状の伸縮性部材であることを特徴とするパンツ型使い捨ておむつである。
【００２２】
このようなパンツ型使い捨ておむつによれば、着色された伸縮性部材が面状であることで、高圧力領域において低圧力領域と異なる色の部位の面積が大きくなり、高圧力領域が視認されやすくなる。
【００２３】
かかるパンツ型使い捨ておむつであって、前記高圧力領域において、前記伸縮性部材は、前記上下方向に間隔をあけて複数配置されていることを特徴とするパンツ型使い捨ておむつである。
【００２４】
このようなパンツ型使い捨ておむつによれば、高圧力領域が縞模様となり、その縞模様がアクセントとなり目立ち、高圧力領域がユーザーに認識されやすくなる。
【００２５】
かかるパンツ型使い捨ておむつであって、前記伸縮性部材は、前記伸縮性部材よりも前記非肌側に配置されているシートと、複数の接合部によって間欠的に接合されており、前記上下方向における前記伸縮性部材の長さよりも、前記上下方向に隣り合う前記接合部の間隔の方が小さく、かつ、前記左右方向における前記伸縮性部材の長さよりも、前記左右方向に隣り合う前記接合部の間隔の方が小さいことを特徴とするパンツ型使い捨ておむつである。
【００２６】
このようなパンツ型使い捨ておむつによれば、伸縮性部材上において細かい皺（凹凸）が形成されるため、伸縮性部材を視認可能にしつつ、柔らかいおむつである印象をユーザーに付与できる。
【００２７】
かかるパンツ型使い捨ておむつであって、前記高圧力領域は、前記低圧力領域と異なる色である異色部と、前記異色部以外の非異色部とを有し、前記左右方向における前記ベルト部の中央部では端部に比べて、単位面積あたりの前記異色部の割合が高いことを特徴とするパンツ型使い捨ておむつである。
【００２８】
このようなパンツ型使い捨ておむつによれば、ユーザーに着目されやすいベルト部の左右方向の中央部において、高圧力領域が目立つため、高圧力領域がユーザーに認識されやすくなる。
【００２９】
かかるパンツ型使い捨ておむつであって、前記ベルト部は、前側ベルト部と、後側ベルト部とを有し、前記前側ベルト部の前記左右方向の中央部に位置する前記高圧力領域の上端から前記胴周り開口までの前記上下方向の長さは、前記後側ベルト部の前記左右方向の中央部に位置する前記高圧力領域の上端から前記胴周り開口までの前記上下方向の長さと異なることを特徴とするパンツ型使い捨ておむつである。
【００３０】
このようなパンツ型使い捨ておむつによれば、視認可能な高圧力領域に基づいて、おむつの前後判断を行える。
【００３１】
かかるパンツ型使い捨ておむつであって、前記ベルト部は、前側ベルト部と、後側ベルト部とを有し、前記前側ベルト部の前記左右方向の両側部と、前記後側ベルト部の前記左右方向の両側部とが、一対の係止部において係止されており、前記高圧力領域は、前記前側ベルト部において、第１高圧力領域を有し、前記第１高圧力領域は、前記一対の係止部間に亘って前記左右方向に連続して配置されており、前記第１高圧力領域の前記左右方向の中央部は両端部に比べて、下側に位置していることを特徴とするパンツ型使い捨ておむつである。
【００３２】
このようなパンツ型使い捨ておむつによれば、第１高圧力領域によって着用者の腹部を過度に締め付けてしまうことを防止できる。また、第１高圧力領域の左右方向の両端部において、着用者の上前腸骨棘付近を締め付けることができ、着用時のおむつの位置ずれを抑制できる。
【００３３】
かかるパンツ型使い捨ておむつであって、前記高圧力領域は、前記前側ベルト部において、第２高圧力領域を有し、前記第２高圧力領域は、前記一対の係止部間に亘って前記左右方向に連続して配置されており、前記第２高圧力領域の前記左右方向の両端部は、前記第１高圧力領域よりも下側に位置し、前記第２高圧力領域の前記左右方向の中央部の少なくとも一部は、前記第１高圧力領域と重なることを特徴とするパンツ型使い捨ておむつである。
【００３４】
このようなパンツ型使い捨ておむつによれば、第２高圧力領域によって着用者の腹部を過度に締め付けてしまうことを防止できる。また、第２高圧力領域の左右方向の両端部において、着用者の上前腸骨棘を下方から支持するように締め付けることができ、着用時のおむつの位置ずれを抑制できる。
【００３５】
かかるパンツ型使い捨ておむつであって、前記ベルト部は、前側ベルト部と、後側ベルト部とを有し、前記前側ベルト部の前記左右方向の両側部と、前記後側ベルト部の前記左右方向の両側部とが、一対の係止部において係止されており、前記高圧力領域は、前記後側ベルト部において、第３高圧力領域を有し、前記第３高圧力領域は、前記一対の係止部間に亘って前記左右方向に連続して配置されており、前記第３高圧力領域の前記左右方向の中央部は両端部に比べて、上側に位置していることを特徴とするパンツ型使い捨ておむつである。
【００３６】
このようなパンツ型使い捨ておむつによれば、第３高圧力領域によって着用者の臀部中央部を過度に締め付けてしまうことを防止できる。
【００３７】
かかるパンツ型使い捨ておむつであって、前記高圧力領域は、前記後側ベルト部において、第４高圧力領域を有し、前記第４高圧力領域は、前記一対の係止部間に亘って前記左右方向に連続して配置されており、前記第４高圧力領域の前記左右方向の両端部は、前記第３高圧力領域よりも上側に位置し、前記第４高圧力領域の前記左右方向の中央部の少なくとも一部は、前記第３高圧力領域と重なることを特徴とするパンツ型使い捨ておむつである。
【００３８】
このようなパンツ型使い捨ておむつによれば、第４高圧力領域によって着用者の臀部中央部を過度に締め付けてしまうことを防止できる。また、第４高圧力領域の左右方向の両端部において、着用者の上前腸骨棘付近を締め付けることができ、着用時のおむつの位置ずれを抑制できる。
【００３９】
＝＝＝実施形態＝＝＝
以下、パンツ型使い捨ておむつとして、大人向けのパンツ型使い捨ておむつを例に挙げて実施形態を説明する。ただしこれに限定されず、本発明に係るパンツ型使い捨ておむつは、例えば子供向け（乳幼児用）の使い捨ておむつや生理用ショーツ等としても適用できる。
【００４０】
＜＜おむつ１の基本構成＞＞
図１は、パンツ型使い捨ておむつ１（以下、おむつ１ともいう）の概略斜視図である。図２は、展開かつ伸長状態のおむつ１の概略平面図である。図３は、図２のＩ−Ｉ線（左右方向の中央）での概略断面図である。図４Ａは、前側ベルト部２１及び後側ベルト部２２の接合部３０の一例を示す図であり、図４Ｂは、前側ベルト部２１及び後側ベルト部２２の概略断面図である。
【００４１】
おむつ１は、互いに交差する上下方向、左右方向、及び、前後方向を有するとともに、図３に示すように、各部材が積層された厚さ方向を有する。上下方向において、着用者の胴側となる側を上側とし、着用者の股下となる側を下側とする。前後方向において、着用者の腹側となる側を前側とし、着用者の背側となる側を後側とする。厚さ方向において、着用者に接する側を肌側とし、その反対側を非肌側とする。
【００４２】
おむつ１は、吸収性本体１０と、吸収性本体１０の非肌側に位置する外装体２０とを有している。外装体２０は、着用者の腹側に配置される前側ベルト部２１（ベルト部）と、着用者の背側に配置される後側ベルト部２２（ベルト部）と、それらを繋ぐ股下部２３とを有している。
【００４３】
なお、本実施形態のおむつ１では外装体２０が３部材（前側ベルト部２１、後側ベルト部２２、及び、股下部２３）から構成されているが、これに限らない。例えば、前側ベルト部２１、後側ベルト部２２、及び、股下部２３が連続した１部材で構成されていてもよい。また、股下部２３を有さない構成としてもよい。
【００４４】
図２に示す展開状態のおむつ１では、吸収性本体１０の長手方向の一端側に、前側ベルト部２１が位置し、吸収性本体１０の長手方向の他端側に、後側ベルト部２２が位置している。展開状態のおむつ１において、吸収性本体１０が長手方向の略中央で２つ折りされ、前側ベルト部２１の左右方向の両側部と後側ベルト部２２の左右方向の両側部とが、一対の係止部２４において係止されることにより、図１に示すパンツ型となる。つまり、吸収性本体１０の長手方向がおむつ１の上下方向に沿い、前側ベルト部２１と後側ベルト部２２とが環状につながり、その上端に胴回り開口１ａが形成され、また、左右方向の両側に一対の脚回り開口１ｂが形成される。なお、係止部２４による係止方法としては、溶着や接着剤による接合等を例示できる。
【００４５】
吸収性本体１０は、図３に示すように、吸収性コア１１と、吸収性コア１１の肌側に位置する液透過性のトップシート１２と、吸収性コア１１の非肌側に位置するバックシート１３とを有している。本実施形態のバックシート１３は、液不透過性シート１３ａ、及び、その非肌側に配された疎水性の液透過性シート（例えば疎水性不織布）１３ｂの二層構造である。
【００４６】
吸収性コア１１は、尿等の排泄液を吸収して保持する部材であり、例えば高吸収性ポリマー（ＳＡＰ）が混入したパルプ繊維等の液体吸収性繊維により形成される。図示しないが、吸収性コア１１は、ティッシュペーパーや不織布等の液透過性のシートによって、外周面が覆われていてもよい。
【００４７】
前側ベルト部２１及び後側ベルト部２２は、それぞれ図２に示すように、上下方向において係止部２４と重複する部位である胴回り領域２１１，２２１と、胴回り領域２１１，２２１よりも下側の股下側領域２１２，２２２とを有している。
【００４８】
股下側領域２１２，２２２は略台形形状を成し、下側に向かうにつれて横幅（左右方向の長さ）が狭くなっている。また、前側ベルト部２１に比べて後側ベルト部２２の方が、股下側領域２２２が大きく、着用者の臀部を被覆可能となっている。
【００４９】
前側ベルト部２１及び後側ベルト部２２は、それぞれ図３に示すように、肌側シート２１３，２２３と、非肌側シート２１４，２２４と、それらの間に位置する伸縮性不織布２１５，２２５とを有している。肌側シート２１３，２２３及び非肌側シート２１４，２２４としては、スパンボンド不織布やＳＭＳ不織布等により形成された柔軟なシートを例示できる。また、肌側シート２１３，２２３及び非肌側シート２１４，２２４は、実質的に伸縮しない非伸縮性シートとする。
【００５０】
伸縮性不織布２１５，２２５は、少なくともおむつ１の左右方向に伸縮するシートとする。また、伸縮性不織布２１５，２２５は、伸縮性繊維と、非伸縮性繊維（すなわち伸縮性繊維よりも収縮性の低い伸長性繊維）を含む不織布とする。
【００５１】
伸縮性不織布２１５，２２５としては、弾性を有する熱可塑性エラストマーの一種であるポリウレタン系エラストマーの伸縮性繊維と、非弾性を有する熱可塑性樹脂の一種であるポリオレフィン系樹脂のポリプロピレン（ＰＰ）の非伸縮性繊維に、ギア延伸等の適宜な延伸処理が施された不織布を例示できる。延伸処理は、互いに直交する方向（おむつ１の左右方向及び上下方向）に延伸処理を行うものであってもよいし、所定方向（おむつ１の左右方向）にのみ延伸処理を行うものであってもよい。なお、所定方向にのみ延伸処理を行った場合、所定方向の伸縮性が発現されるが、すべての繊維の配向が所定方向に沿っているとは限らないため、所定方向と直交する方向にも伸縮性が発現される。
【００５２】
そして、肌側シート２１３，２２３、非肌側シート２１４，２２４、及び、伸縮性不織布２１５，２２５は、伸縮性不織布２１５，２２５が左右方向に伸長している状態で、接合部３０により接合されている。図４Ａに示すように、接合部３０は、おむつ１の左右方向及び上下方向に点在しているとよい。そうすることで、おむつ１が収縮すると、接合部３０の間において、肌側シート２１３，２２３及び非肌側シート２１４，２２４はたくれて、厚さ方向の外側に突出した凸部を形成する。一方、伸縮性不織布２１５，２２５は、伸縮性繊維が非伸縮性繊維を絡めつつ（集めつつ）収縮するため、厚さ方向に広がる。そのため、凸部は伸縮性不織布２１５，２２５の繊維に支持されて潰れにくくなり、凸部のクッション性が高まる。よって、前側ベルト部２１及び後側ベルト部２２の着用者への肌当たりを良くすることができる。また、視覚的にも柔らかいおむつ１である印象をユーザーに付与できる。
【００５３】
また、股下部２３も、前側ベルト部２１及び後側ベルト部２２と同様に、肌側シート２３１と非肌側シート２３２の間に伸縮性不織布２３３が配置された構成とする。ただし、股下部２３の構成は特に限定されず、例えば、肌側シート２３１を有さずに、吸収性本体１０と非肌側シート２３２の間に伸縮性不織布２３３が配置された構成であってもよい。
【００５４】
＜＜高圧力領域６０について＞＞
図５は、前側ベルト部２１の概略平面図である。図６は、後側ベルト部２２の概略平面図である。
【００５５】
前側ベルト部２１及び後側ベルト部２２は、上下方向に係止部２４と重複する胴回り領域２１１，２２１において、ウェスト伸縮領域４０と、低圧力領域５０と、高圧力領域６０とを有する。
【００５６】
ウェスト伸縮領域４０は、胴回り開口１ａの縁に沿った伸縮領域であり、おむつ１の左右方向に伸縮する糸ゴム４１が上下方向に間隔をあけて複数配置されている。ウェスト伸縮領域４０は、図３に示すように伸縮性不織布２１５，２２５が配置されていない構成であってもよいし、伸縮性不織布と糸ゴム４１が積層された構成（不図示）であってもよい。
【００５７】
低圧力領域５０、及び、高圧力領域６０は、ウェスト伸縮領域４０の下方に配置された領域であり、互いに隣接し、かつ、左右方向に伸縮性を有する。低圧力領域５０は、肌側シート２１３，２２３と非肌側シート２１４，２２４の間に伸縮性不織布２１５，２２５が配置された領域である。高圧力領域６０は、肌側シート２１３，２２３と非肌側シート２１４，２２４の間に、伸縮性不織布２１５，２２５と、伸縮性フィルム６５が配置された領域である。伸縮性フィルム６５は、少なくともおむつ１の左右方向に伸縮するシートである。
【００５８】
伸縮性フィルム６５としては、ウレタンやスチレンのようなエストラマー樹脂を溶融し、均一厚さのシート状とした伸縮性を有する弾性部材を例示できる。また、例えば、エラストマー層の表面と裏面にポリオレフィン層を一体化した伸縮性フィルムでもよい。この伸縮性フィルムを用いる場合は、ポリオレフィン層が伸縮性を持たないため、予めフィルムに延伸をかけることで伸縮性を発現させることができる。表面にポリオレフィン層があることで、ポリオレフィン繊維不織布との溶着がしやすくなるという利点がある。
【００５９】
高圧力領域６０は、伸縮性フィルム６５が配置されている分だけ、低圧力領域５０に比べて、おむつ着用時の締め付け圧力が高くなる。詳しくは、上下方向における単位幅の高圧力領域６０を、左右方向に単位長さ伸長させるための力は、上下方向における単位幅の低圧力領域５０を、左右方向に単位長さ伸長させるための力よりも大きい。つまり、上下方向における単位幅の高圧力領域６０において左右方向に働く収縮力が、上下方向における単位幅の低圧力領域５０において左右方向に働く収縮力よりも大きく、高圧力領域６０は着用者に強く密着する。
【００６０】
ただし、高圧力領域６０の全域に伸縮性フィルム６５が配置されるに限らない。例えば、図５や図６に示すように、左右方向に延びた複数の伸縮性フィルム６５ａ〜６５ｆ，６５Ａ〜６５Ｆが上下方向に間隔を空けて配置されていてもよい。その場合、同じ形状（同じ軌跡）で配置されている複数の伸縮性フィルム６５のうち、最も上側に位置する伸縮性フィルム６５の上端と、最も下側に位置する伸縮性フィルム６５の下端と、一対の係止部２４で囲われた領域を１つの高圧力領域とする。
【００６１】
具体的に説明すると、前側ベルト部２１は、図５に示すように、下側に凸となる形状の３本の伸縮性フィルム６５ａ〜６５ｃが配置されている「第１高圧力領域６１」（ａｂｃｄで囲われた領域）と、おむつ１の左右方向に水平な３本の伸縮性フィルム６５ｄ〜６５ｆが配置されている「第２高圧力領域６２」（ｅｆｇｈで囲われた領域）を有する。
【００６２】
一方、後側ベルト部２２は、図６に示すように、上側に凸となる形状の３本の伸縮性フィルム６５Ａ〜６５Ｃが配置されている「第３高圧力領域６３」（ｉｊｋｌで囲われた領域）と、おむつ１の左右方向に水平な３本の伸縮性フィルム６５Ｄ〜６５Ｆが配置されている「第４高圧力領域６４」（ｍｎｏｐで囲われた領域）を有する。
【００６３】
また、本実施形態の前側ベルト部２１及び後側ベルト部２２では、ウェスト伸縮領域４０よりも下方の全域に伸縮性不織布２１５，２２５が配置されている（図３参照）。そのため、前側ベルト部２１の胴周り領域２１１であり、かつ、ウェスト伸縮領域４０の下方の領域のうち、第１高圧力領域６１及び第２高圧力領域６２以外の領域を、低圧力領域５０とする。同様に、後側ベルト部２２の胴周り領域２２１であり、かつ、ウェスト伸縮領域４０の下方の領域のうち、第３高圧力領域６３及び第４高圧力領域６４以外の領域を、低圧力領域５０とする。ただし、前側ベルト部２１及び後側ベルト部２２が脚周り開口１ｂに沿う脚周り用糸ゴム２７を有する場合、脚周り用糸ゴム２７が配置されている部位は低圧力領域５０から除くものとする。
【００６４】
なお、上下方向における単位幅の高圧力領域６０を、左右方向に単位長さ伸長させるための力と、上下方向における単位幅の低圧力領域５０を、左右方向に単位長さ伸長させるための力の比較は、周知の方法で行うとよい。例えば、後側ベルト部２２又は前側ベルト部２１から高圧力領域６０及び低圧力領域５０の全て又は一部をそれぞれサンプルとして切り出す。そして、各サンプルの上下方向の長さの平均値を算出する。また、引張試験機のチャックに、おむつ１の左右方向に対応するサンプルの両端部を挟ませる。チャック間を単位長さ離してサンプルを伸長させた状態で得られる荷重を測定する。そして、各サンプルの荷重を、各サンプルの上下方向の長さの平均値で除した値を比較するとよい。なお、低圧力領域５０として、脚周り用糸ゴム２７が配置されている部位を含む範囲で切り出す場合、脚周り用糸ゴム２７は伸縮性が発現しないようにした状態で荷重を測定する。
【００６５】
また、高圧力領域６０は、低圧力領域５０に比べて締め付け圧力が高ければよく、伸縮性不織布２１５，２２５に伸縮性フィルム６５が積層された構成であるに限らない。例えば、前側ベルト部２１及び後側ベルト部２２の広い範囲に亘って糸状弾性部材を上下方向に間隔を空けて配置して低圧力領域５０を形成し、高圧力領域６０を形成する部位には、前記糸状弾性部材に重ねて、別の伸縮性部材（伸縮性フィルム、伸縮性不織布、糸状弾性部材等）を配置してもよい。逆に、前側ベルト部２１及び後側ベルト部２２の広い範囲に亘ってシート状の伸縮性部材（伸縮性フィルム、伸縮性不織布）を配置して低圧力領域５０を形成し、高圧力領域６０を形成する部位には、前記シート状の伸縮性部材に重ねて糸状弾性部材を配置してもよい。また、前側ベルト部２１及び後側ベルト部２２の広い範囲に亘って伸縮性フィルムを配置して低圧力領域５０を形成し、高圧力領域６０を形成する部位には、前記伸縮性フィルムに重ねてシート状の伸縮性部材（伸縮性フィルム、伸縮性不織布）を配置してもよい。また、低圧力領域５０と高圧力領域６０の構成を同じにし、低圧力領域５０の伸縮性部材の伸長倍率に比べて、高圧力領域６０の伸縮性部材の伸長倍率を高めてもよい。
【００６６】
以上のように、前側ベルト部２１及び後側ベルト部２２には、部分的に高圧力領域６０が設けられている。そのため、着用者の締め付けるべき場所（例えば、おむつ１のずれ落ちを防止する場所や、着用者の動きをサポートする場所等）を高圧力領域６０によって締め付けることができる。また、低圧力領域５０も伸縮性を有する。そのため、着用者の締め付けるべき場所以外は、低圧力領域５０を適度に密着させることができる。よって、着用者の過度な締め付けを防ぎつつ、おむつ１のフィット性を向上させることができる。
【００６７】
さらに、本実施形態のおむつ１では、肌側シート２１３，２２３、非肌側シート２１４，２２４、及び、伸縮性不織布２１５，２２５を白色のシートとし、伸縮性フィルム６５を有色のシート（例えば紫色、青色、ピンク色等に着色されたシート）とする。つまり、伸縮性フィルム６５の色と、それ以外のシートの色とを異ならせる。そうすることで、前側ベルト部２１及び後側ベルト部２２を非肌側と肌側の少なくとも一方側から見た場合に、伸縮性フィルム６５を有する高圧力領域６０の一部は、低圧力領域５０と異なる色となる。
【００６８】
このように高圧力領域６０を視認可能にすることで、おむつ１のユーザー（着用者や介助者）は、おむつ１における高圧力領域６０の位置を把握できる。そのため、ユーザーは、着用者の締め付けるべき場所に高圧力領域６０が位置していることを確認しながら、おむつ１の引き上げ具合を調整できる。よって、おむつ１が着用者の適切な位置に正しく装着され、高圧力領域６０による効果（おむつ１のずれ落ち防止や着用者の動きのサポート等）が得られる。また、着用者の締め付けるべきでない場所（例えば下腹部や臀部の膨らみ部分）に高圧力領域６０が位置して、おむつ１の着け心地が低下してしまうことを防止できる。
【００６９】
より好ましくは、前側ベルト部２１及び後側ベルト部２２を非肌側と肌側の少なくとも一方側から見た場合に、おむつ１の上下方向における高圧力領域６０の輪郭部が、低圧力領域５０と異なる色であるとよい。例えば、前側ベルト部２１の第１高圧力領域６１の場合、上端部に、着色された伸縮性フィルム６５ａが位置し、下端部に、着色された伸縮性フィルム６５ｃが位置している。第２〜第４高圧力領域６２〜６４も同様に、上端部と下端部に着色された伸縮性フィルム６５が位置している。
【００７０】
そうすることで、高圧力領域６０と低圧力領域５０の境界が明確となり、ユーザーは高圧力領域６０の位置をより把握しやすくなる。よって、おむつ１が着用者の適切な位置に装着されやすくなる。
【００７１】
なお、高圧力領域６０の少なくとも一部と低圧力領域５０とが異なる色であればよく、高圧力領域６０の輪郭部以外の一部が異なる色であってもよいし、高圧力領域６０の全領域が異なる色であってもよい。また、高圧力領域６０が着色されるに限らない。つまり、高圧力領域６０を構成する資材が白色であり、低圧力領域５０を構成する資材が有色に着色されていてもよい。また、高圧力領域６０と低圧力領域５０が白以外の互いに異なる色に着色されていてもよい。
【００７２】
図７は、高圧力領域６０の視認性についての試験結果を示す表である。高圧力領域６０と低圧力領域５０が異なる色とは、具体的にどの程度の色差であれば、高圧力領域６０の位置が把握されるかについて、試験を行った。まず、種々の構成であるベルト部のサンプル１〜６を準備した。サンプル１〜６の構成は以下の通りである。
【００７３】
サンプル１は、肌側シート２１３，２２３及び非肌側シート２１４，２２４として、坪量２７ｇ／ｍ2、スパンボンド不織布を使用した。伸縮性不織布２１５，２２５として、坪量２８ｇ／ｍ2、伸長倍率２．３倍のものを使用した。また、非肌側シート２１４，２２４と伸縮性不織布２１５，２２５の間の一部に、濃ベージュの伸縮性フィルム６５を配置した。伸縮性フィルム６５の配置は図２に示す配置である（他のサンプルも同様）。
【００７４】
サンプル２は、伸縮性フィルム６５の色を薄ベージュとし、それ以外の構成はサンプル１と同じとした。
【００７５】
サンプル３は、肌側シート２１３，２２３及び非肌側シート２１４，２２４として、坪量２０ｇ／ｍ2、スパンボンド不織布を使用した。伸縮性不織布２１５，２２５として、坪量２８ｇ／ｍ2、伸長倍率２．３倍のものを使用した。また、非肌側シート２１４，２２４と伸縮性不織布２１５，２２５の間の一部に、濃ベージュの伸縮性フィルム６５を配置した。
【００７６】
サンプル４は、伸縮性フィルム６５の色を薄ベージュとし、それ以外の構成はサンプル３と同じとした。
【００７７】
サンプル５は、肌側シート２１３，２２３及び非肌側シート２１４，２２４として、坪量１９ｇ／ｍ2、サンプル１〜４に比べて白色顔料（酸化チタン）の含有率が低いスパンボンド不織布を使用した。伸縮性不織布２１５，２２５として、坪量２８ｇ／ｍ2、伸長倍率２．３倍のものを使用した。また、非肌側シート２１４，２２４と伸縮性不織布２１５，２２５の間の一部に、濃ベージュの伸縮性フィルム６５を配置した。
【００７８】
サンプル６は、伸縮性フィルム６５の色を薄ベージュとし、それ以外の構成はサンプル５と同じとした。
【００７９】
そして、サンプル１〜６をそれぞれ肌側から見た場合と非肌側から見た場合とで、高圧力領域６０と低圧力領域５０を判別できるかについて、被験者に評価してもらった。なお、サンプル１〜６を適応サイズのドールに履かせた状態で、被験者に評価してもらった。高圧力領域６０と低圧力領域５０を判別できる場合には「○」、判別できるが分かり難い場合には「△」、判別できない場合には「×」と、３段階で評価してもらった。おむつ１は大人用のおむつであるため、被験者（Ａ〜Ｅ）は３０代〜５０代の成人男女５名とした。試験は屋内の蛍光灯下（照度４０７Ｌｘ）で、サンプル１〜６と被験者との水平距離を４０ｃｍ離して行った。
【００８０】
また、サンプル１〜６をそれぞれ肌側から見た場合と非肌側から見た場合とで、高圧力領域６０と低圧力領域５０の色差ΔＥ*を測定した。
【００８１】
色差ΔＥ*の測定は、色差計（今回は日本電色工業株式会社製の測色色差計ＺＥ−６０００）を用いて行った。測定方式は反射、試料口は直径３０ｍｍとした。まず、測定対象のサンプル（おむつ１のベルト部）を自然状態で載置した。非肌側からの色差ΔＥ*を測定する場合には、サンプルの非肌側面を上にし、肌側からの色差ΔＥ*を測定する場合には、サンプルの肌側面を上にして測定を行った。
【００８２】
そして、高圧力領域６０におけるランダムな複数箇所（今回は５カ所）について測定を行い、それぞれの測定結果（Ｌ*ａ*ｂ*表色系のａ*値、ｂ*値）を取得した。複数箇所の測定結果の平均値を、その高圧力領域６０の測定結果とした。同様に、低圧力領域５０におけるランダムな複数箇所（今回は５カ所）について測定を行い、それぞれの測定結果（ａ*値、ｂ*値）を取得した。複数箇所の測定結果の平均値を、その低圧力領域５０の測定結果とした。
【００８３】
また、高圧力領域６０において低圧力領域５０と異なる色の部分（有色の伸縮性フィルム６５の配置部分）が一部分である場合、低圧力領域５０との異色部と非異色部とが混在する測定箇所が、ランダムな複数の測定箇所の中に含まれるようにする。
【００８４】
そして、高圧力領域６０の測定結果と低圧力領域５０の測定結果に基づき、下記の式により色差ΔＥ*を算出する。
ΔＥ*＝[（Δａ*）2＋（Δｂ*）2]1/2
【００８５】
なお、一般的な色差の定義にはＬ*値（明度）も含まれる。ただし、おむつの場合、不織布の積層枚数の違いによりＬ*値が変化しやすく、その結果、色差が変化する。そのため、Ｌ*値を含んで算出した色差が、実際に目で見た色の違いとずれる恐れがある。そのため、Ｌ*値は除いて色差ΔＥ*を算出する。
【００８６】
以上の試験結果を図７の表にまとめた。全ての被験者（Ａ〜Ｅ）が、高圧力領域６０と低圧力領域５０を判別できる（○）とした色差ΔＥ*（サンプル）について、高圧力領域６０の視認性を「○」とした。表の結果から、色差ΔＥ*が「１．４５」以上である場合に、高圧力領域６０の視認性が「○」となっている。
【００８７】
そこで、前側ベルト部２１及び後側ベルト部２２を非肌側と肌側の少なくとも一方側から見た場合に、高圧力領域６０と低圧力領域５０において、Ｌ*ａ*ｂ*表色系のａ*値の差をΔａ*、ｂ*値の差をΔｂ*として、下式で色差ΔＥ*を算出したときに、
ΔＥ*＝[（Δａ*）2＋（Δｂ*）2]1/2
色差ΔＥ*が１．４５以上であるとよい。
【００８８】
そうすることで、高圧力領域６０と低圧力領域５０が判別されやすく、ユーザーは高圧力領域６０の位置を把握しやすくなる。よって、おむつ１が着用者の適切な位置に装着されやすくなる。なお、色差ΔＥ*の測定方法は、上記の試験で説明した方法、又は、それと同等の方法で行うとする。
【００８９】
また、ここまで、前側ベルト部２１及び後側ベルト部２２を非肌側と肌側の少なくとも一方側から見た場合に、高圧力領域６０と低圧力領域５０が異なる色であればよいとしている。ただし、より好ましくは、前側ベルト部２１及び後側ベルト部２２を非肌側（外側）から見た場合に、高圧力領域６０の少なくとも一部と低圧力領域５０が異なる色であるとよい、つまり、高圧力領域６０と低圧力領域５０の色差ΔＥ*が１．４５以上であるとよい。
【００９０】
そうすることで、おむつ１が高圧力領域６０を有することを、ユーザーに認識されやすくなり、ユーザーは高圧力領域６０を意識しながら、おむつ１を装着しやすくなる。また、非肌側から高圧力領域６０の位置を把握できることで、着用者の締め付けるべき場所に高圧力領域６０を位置合わせしやすくなる。よって、おむつ１が着用者の適切な位置に装着されやすくなる。
【００９１】
また、高圧力領域６０を形成する伸縮性部材、すなわち本実施形態における伸縮性フィルム６５が、低圧力領域５０と異なる色に着色されていることが好ましい。そうすることで、ユーザーが高圧力領域６０と認識する領域と、実際に締め付け圧力が高い領域とが一致する。そのため、着用者の締め付けるべき場所に伸縮性フィルム６５が位置合わせされ、高圧力領域６０による効果が得られやすくなる。
【００９２】
ただし、上記に限定されない。高圧力領域６０に配置されている別の資材（肌側シート２１３，２２３、非肌側シート２１４，２２４、伸縮性不織布２１５，２２５）の少なくとも１つが、低圧力領域５０と異なる色に着色されていてもよい。この場合、例えば、伸縮性フィルム６５が上下方向に間欠に配置されている場合でも、高圧力領域６０の全域を着色できる。また、高圧力領域６０の全域に伸縮性フィルム６５が配置されている場合にも、高圧力領域６０の一部分（例えば輪郭部分）を着色できる。
【００９３】
また、伸縮性フィルム６５が着色されている場合、前側ベルト部２１及び後側ベルト部２２の厚さ方向に積層されている複数の資材のうち、非肌側寄りに伸縮性フィルム６５が配置されていることが好ましい。本実施形態では、図３に示すように、非肌側シート２１４，２２４と伸縮性不織布２１５，２２５の間に伸縮性フィルム６５が配置されている。
【００９４】
そうすることで、非肌側からの高圧力領域６０の視認性が高まる。よって、高圧力領域６０がユーザーに認識されやすくなり、また、着用者の締め付けるべき場所に高圧力領域６０を位置合わせしやすくなる。ただし、上記に限定されず、非肌側シート２１４，２２４よりも肌側シート２１３，２２３寄りに伸縮性フィルム６５が配置されていてもよい。
【００９５】
また、高圧力領域６０を形成する着色された伸縮性部材は、本実施形態の伸縮性フィルム６５のように、シート状の伸縮性部材であることが好ましい。そうすることで、伸縮性部材が糸ゴムである場合に比べて、低圧力領域５０と異なる色である異色部の面積が大きくなる。そのため、高圧力領域６０が目立ち、ユーザーに認識されやすくなる。また、着用者の締め付けるべき場所に高圧力領域６０を位置合わせしやすくなる。
【００９６】
また、高圧力領域６０を形成する伸縮性部材がシート状の伸縮性部材である場合、高圧力領域６０は面で着用者に強く密着でき、局所的な締め付けを防止できる。よって、おむつ１の着け心地を良くすることができ、また、着用者の肌に伸縮性部材の痕が残り難くなる。
【００９７】
また、高圧力領域６０を形成する着色された伸縮性部材（伸縮性フィルム６５）は、上下方向に間隔をあけて複数配置されていることが好ましい。そうすることで、高圧力領域６０において縞模様が形成され、その縞模様がアクセントとなり目立ち、高圧力領域６０がユーザーに認識されやすくなる。また、高圧力領域６０が部分的に着色されていることで、おむつ１の締め付けが強過ぎるとユーザーに認識されてしまう恐れを防止できる。
【００９８】
図８は、伸縮性フィルム６５に形成された接合部３０の説明図である。前述の図４Ｂに示すように、着色された伸縮性フィルム６５は、伸縮性フィルム６５よりも非肌側に配置されているシート（本実施形態の場合には非肌側シート２１４，２２４）と、複数の接合部３０によって間欠的に接合されているとよい。
【００９９】
そうすることで、接合部３０の間において非肌側シート２１４，２２４が伸縮性フィルム６５から浮き、非肌側シート２１４，２２４による皺（凹凸）が発生する。そのため、伸縮性フィルム６５を視認可能にしつつ、伸縮性フィルム６５が目立ち過ぎてしまうことを防止できる。つまり、伸縮性フィルム６５の硬さを皺によって軽減できる。ゆえに、柔らかく、着け心地が良いおむつ１である印象をユーザーに付与できる。
【０１００】
さらに、図８に示すように、上下方向における伸縮性フィルム６５の長さ（幅）Ｗ１よりも、上下方向に隣り合う接合部３０の間隔Ｗ２の方が小さく（Ｗ１＞Ｗ２）、かつ、左右方向における伸縮性フィルム６５の長さ（本実施形態の場合には一対の係止部２４間の長さ）よりも、左右方向に隣り合う接合部３０の間隔Ｌ０の方が小さいことが好ましい。
【０１０１】
そうすることで、伸縮性フィルム６５の上下方向の範囲内に複数の接合部３０が配置され、伸縮性フィルム６５の左右方向の範囲内に複数の接合部３０が配置される。そのため、非肌側シート２１４，２２４による皺がより細かく発生する。よって、柔らかく、着け心地が良いおむつ１である印象をユーザーに付与できる。
【０１０２】
ただし、上記に限らず、伸縮性フィルム６５の全域が非肌側シート２１４，２２４に接合されていてもよい。その場合、伸縮性フィルム６５が目立ち、高圧力領域６０の視認性が高まる。
【０１０３】
なお、伸縮性フィルム６５の長さと接合部３０の間隔を比較する場合、前側ベルト部２１や後側ベルト部２２を皺なく伸長させた状態において行うとよい。具体的には、前側ベルト部２１や後側ベルト部２２を構成する部材（例えば肌側シート２１４，２２４等）の寸法がその部材単体の寸法と一致又はそれに近い長さになるまで伸長させた状態である。後述する他の長さや位置の比較についても同様である。
【０１０４】
また、高圧力領域６０の一部が低圧力領域５０と異なる色である場合、高圧力領域６０は、低圧力領域５０と異なる色である異色部６６（伸縮性フィルム６５の配置部）と、異色部６６以外の非異色部６７とを有する。この場合、前側ベルト部２１及び後側ベルト部２２の少なくとも一方において、左右方向の中央部では端部に比べて、単位面積あたりの異色部６７の割合が高いことが好ましい。
【０１０５】
例えば、図５に示すように、前側ベルト部２１では、左右方向の中央部において、第１高圧力領域６１及び第２高圧力領域６２の互いの一部が重なっており、左右方向の端部では、第１高圧力領域６１と第２高圧力領域６２が離間している。よって、左右方向の中央部において、単位面積あたりの異色部６７の割合が高くなっている。後側ベルト部２２も同様である。
【０１０６】
前側ベルト部２１や後側ベルト部２２の左右方向の中央部は端部に比べて、ユーザーに着目されやすく、その中央部において、単位面積あたりの異色部６６割合を高くすることで、高圧力領域６０がユーザーに認識されやすくなる。ただし、上記に限定されず、例えば、単位面積あたりの異色部６６の割合は、一定であってもよいし、左右方向の両端部の方が中央部よりも高くてもよい。
【０１０７】
また、図５及び図６に示すように、前側ベルト部２１の左右方向の中央部に位置する高圧力領域６０の上端６０ａから胴周り開口１ａまでの上下方向の長さＬ１は、後側ベルト部２２の左右方向の中央部に位置する高圧力領域６０の上端６０ａから胴周り開口１ａまでの上下方向の長さＬ２と異なるとよい。
【０１０８】
そうすることで、ユーザーは、視認可能な高圧力領域６０の上下方向の位置に基づいて、おむつ１の前後判断を行える。よって、おむつ１が前後正しく装着される。
【０１０９】
なお、前述の単位面積あたりの異色部６７の割合や、高圧力領域６０から胴周り開口１ａまでの長さ（Ｌ１，Ｌ２）の関係については、少なくとも、一対の係止部２４（ベルト部の左右方向の両端部）と、一対の係止部２４の中央（ベルト部の左右方向の中央部）において、成立しているとよい。好ましくは、一対の係止部２４それぞれから一対の係止部２４間の１／３の長さの両端部と、その間の中央部において、成立しているとよい。
【０１１０】
また、高圧力領域６０の方が、低圧力領域５０よりも収縮率が高い方がよい。収縮率とは、高圧力領域６０及び低圧力領域５０を皺なく左右方向に伸長させた状態の左右方向の長さをａとし、高圧力領域６０及び低圧力領域５０の自然状態の左右方向の長さをｂとした場合に、次式「（ａ−ｂ）／ａ×１００（％）」で算出される値である。そうすることで、高圧力領域６０が着色されている場合に、おむつ１の自然状態において、高圧力領域６０の色が比較的に濃くなる。そのため、高圧力領域６０がユーザーに認識されやすくなる。
【０１１１】
また、高圧力領域６０において着色されているシート（ここでは伸縮性フィルム６５）以外のシートの光線透過率を比較的に高くするとよい（例えば５０％以上にするとよい）。その他、着色されているシート以外のシートが含有する白色顔料（例えば酸化チタン等）の量を低くするとよい（例えば１０％未満にするとよい）。そうすることで、前側ベルト部２１及び後側ベルト部２２の非肌側や肌側から、着色されたシートが透けて見えやすくなり、高圧力領域６０がユーザーに認識されやすくなる。
【０１１２】
次に、第１〜第４高圧力領域６１〜６４の形状について具体的に説明する。
図５に示すように、前側ベルト部２１が有する第１高圧力領域６１は、一対の係止部２４間に亘って左右方向に連続して配置されており、第１高圧力領域６１の左右方向の中央部は両端部に比べて、下側に位置している。詳説すると、第１高圧力領域６１は、左右方向の両端部から中央部に向かって徐々に下側に傾斜している。
【０１１３】
そのため、第１高圧力領域６１によって着用者の腹部を過度に締め付けてしまうことを防止できる。また、低圧力領域５０が着用者の腹部に適度に密着できるため、おむつ１の着け心地を良くすることができる。また、第１高圧力領域６１の左右方向の両端部において、着用者の上前腸骨棘付近を締め付けることができ、着用時のおむつ１の位置ずれを抑制できる。
【０１１４】
また、前側ベルト部２１が有する第２高圧力領域６２も、一対の係止部２４間に亘って左右方向に連続して配置されており、第２高圧力領域６２の左右方向の両端部は、第１高圧力領域６１よりも下側に位置し、第２高圧力領域６２の左右方向の中央部の少なくとも一部は、第１高圧力領域６１と重なっている。
【０１１５】
つまり、第２高圧力領域６２の左右方向の中央部は、第１高圧力領域６１と同様に比較的に下側に位置する。そのため、第２高圧力領域６２によって着用者の腹部を過度に締め付けてしまうことを防止できる。また、第２高圧力領域６２の左右方向の両端部では、着用者の上前腸骨棘を下から支持するように締め付けることができ、着用時のおむつ１の位置ずれを抑制できる。
【０１１６】
一方、図６に示すように、後側ベルト部２２が有する第３高圧力領域６３は、一対の係止部２４間に亘って左右方向に連続して配置されており、第３高圧力領域６３の左右方向の中央部は両端部に比べて、上側に位置している。詳説すると、第３高圧力領域６３は、左右方向の両端部から中央部に向かって徐々に上側に傾斜している。
【０１１７】
そのため、着用者の動きが大きい臀部中央部を、第３高圧力領域６３によって過度に締め付けてしまうことを防止できる。また、低圧力領域５０が着用者の臀部中央部に適度に密着できるため、おむつ１の着け心地を良くすることができる。また、臀部中央部に高圧力領域６０が位置していると、臀部の中央部の動きや膨らみによって高圧力領域６０が位置ずれし、その結果、おむつ１が位置ずれする恐れがある。これに対して、第３高圧力領域６３は、臀部中央部を上側から部分的に囲うように配置されているため、位置ずれし難い。また、第２高圧力領域６２と同様に、第３高圧力領域６３の左右方向の両端部では、着用者の上前腸骨棘を下から支持するように締め付けることができ、着用時のおむつ１の位置ずれを抑制できる。
【０１１８】
また、後側ベルト部２２が有する第４高圧力領域６４も、一対の係止部２４間に亘って左右方向に連続して配置されており、第４高圧力領域６４の左右方向の両端部は、第３高圧力領域６３よりも上側に位置し、第４高圧力領域６４の左右方向の中央部の少なくとも一部は、第３高圧力領域６３と重なっている。
【０１１９】
つまり、第４高圧力領域６４の左右方向の中央部は、第３高圧力領域６３と同様に比較的に上側に位置する。そのため、第４高圧力領域６４によって着用者の臀部中央部を過度に締め付けてしまうことを防止できる。また、第４高圧力領域６４の左右方向の両端部は、比較的に上側に位置するため、第１高圧力領域６１と同様に、着用者の上前腸骨棘付近を締め付けることができ、着用時のおむつ１の位置ずれを抑制できる。
【０１２０】
なお、第１〜第４高圧力領域６１〜６４の位置関係については、少なくとも、一対の係止部２４（高圧力領域の左右方向の両端部）と、一対の係止部２４の中央（高圧力領域の左右方向の中央部）において、成立しているとよい。好ましくは、一対の係止部２４それぞれから一対の係止部２４間の１／３の長さの両端部と、その間の中央部において、成立しているとよい。
【０１２１】
また、係止部２４において、第１高圧力領域６１と第４高圧力領域６４の上下方向の一部又は全部の位置が揃っているとよい。同様に、係止部２４において、第２高圧力領域６２と第３高圧力領域６３の上下方向の一部又は全部の位置が揃っているとよい。そうすることで、環状の高圧力領域６０が形成される。よって、おむつ１が着用者の胴回りにフィットし、おむつ１の位置ずれを抑制できる。
【０１２２】
また、前側ベルト部２１及び後側ベルト部２２の左右方向の中央において、第４高圧力領域６４の下端が、第１高圧力領域６１の下端よりも上側に配置されており、第３高圧力領域６３の下端が、第２高圧力領域６２の下端よりも上側に配置されている。これにより、下腹部を斜め上に締めることができ、腹腔内圧を高めることができる。そのため、骨盤周りの筋肉（腹筋など）の働きを補助でき、骨盤を安定させることができる。
【０１２３】
また、後側ベルト２２において、左右方向の両端部の方が中央部に比べて、第４高圧力領域６４の上端から第３高圧力領域６３の下端までの上下方向の長さが長く、かつ、第３高圧力領域６３の下端が下方に位置している。さらに、後側ベルト部２２の左右方向の中央部から両端部に向かって、第３高圧力領域６３の下端が徐々に下方に傾斜している。つまり、第３，第４高圧力領域６３，６４が中臀筋の形状に合わせた配置となっている。そのため、おむつ１の着用時に、第３，第４高圧力領域６３，６４が着用者の中臀筋を締め付けることができ、中臀筋の動きを補助できる。その結果、歩行等の動作時の骨盤が安定し、着用者の動作（歩行）をサポートできる。
【０１２４】
そして、本実施形態のおむつ１では、上記のように着用者の体型に合わせた高圧力領域６０を、低圧力領域５０と異なる色にして視認可能にする。そのため、ユーザーは、動きやすく着け心地が良く、位置ずれし難い着用者の位置に、おむつ１を装着できる。よって、高圧力領域６０による効果がより確実に得られる。
【０１２５】
ただし、図５及び図６に示す高圧力領域６０は一例であり、高圧力領域６０の数、形状、配置等は、特に限定されない。例えば、おむつ１が第１〜第４高圧力領域６１〜６４の何れか１つ又は複数を有していてもよい。また、前側ベルト部２１及び後側ベルト部２２の一方のみが高圧力領域６０を有し、他方は高圧力領域６０を有していなくてもよい。
【０１２６】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【符号の説明】
【０１２７】
１  おむつ（パンツ型使い捨ておむつ）、
１ａ  胴周り開口、１ｂ  脚周り開口、
１０  吸収性本体、１１  吸収性コア、
１２  トップシート、１３  バックシート、
２０  外装体、
２１  前側ベルト部（ベルト部）、２２  後側ベルト部（ベルト部）、
２１３、２２３  肌側シート、２１４、２２４  非肌側シート、
２１５、２２５  伸縮性不織布、
２３  股下部、２４  係止部、２７  脚周り用糸ゴム、
３０  接合部、
４０  ウェスト伸縮領域（伸縮領域）、４１  糸ゴム、
５０  低圧力領域、
６０  高圧力領域、
６１  第１高圧力領域、６２  第２高圧力領域、
６３  第３高圧力領域、６４  第４高圧力領域、
６５  伸縮性フィルム（伸縮性部材）、
６６  異色部、６７  非異色部、
【図１】
2020116041.tif 000003
【図２】
2020116041.tif 000004
【図３】
2020116041.tif 000005
【図４】
2020116041.tif 000006
【図５】
2020116041.tif 000007
【図６】
2020116041.tif 000008
【図７】
2020116041.tif 000009
【図８】
2020116041.tif 000010